(57)【特許請求の範囲】
【請求項１】
所定コンテンツを分析して、ユーザーが前記コンテンツに対する遮断如何を選択するための選択情報を抽出するコンテンツ分析部と、
前記ユーザーが前記抽出された選択情報を通じて所定コンテンツを遮断する遮断情報を貯蔵する遮断情報貯蔵部と、
ユーザーがコンテンツを要請する場合に、前記遮断情報貯蔵部に貯蔵された遮断情報を共に、前記コンテンツを提供する機器に伝送する制御部と、を含むことを特徴とするモバイル機器。
【請求項２】
前記コンテンツ及び前記選択情報は、マークアップ言語からなることを特徴とする請求項１に記載のモバイル機器。
【請求項３】
前記ユーザーに前記コンテンツ及び前記抽出された選択情報を含んだグラフィックユーザーインターフェースを提供するグラフィックユーザーインターフェース提供部をさらに含むことを特徴とする請求項１に記載のモバイル機器。
【請求項４】
前記制御部は、前記貯蔵された遮断情報を所定プロトコルのヘッダーに追加して前記コンテンツを提供する機器に伝送することを特徴とする請求項１に記載のモバイル機器。
【請求項５】
前記コンテンツを提供する機器は、前記伝送された遮断情報に該当するコンテンツをフィルタリングして伝送することを特徴とする請求項１に記載のモバイル機器。
【請求項６】
ユーザーが所定コンテンツを遮断する遮断情報を貯蔵する遮断情報貯蔵部と、
ユーザーがコンテンツを要請する場合に、前記遮断情報貯蔵部に貯蔵された遮断情報を共に、前記コンテンツを提供する機器と連結して、前記コンテンツを提供する機器への接続を可能にする機器に伝送する制御部と、を含むことを特徴とするモバイル機器。
【請求項７】
前記コンテンツ及び前記選択情報は、マークアップ言語からなることを特徴とする請求項６に記載のモバイル機器。
【請求項８】
前記ユーザーに前記コンテンツを含んだグラフィックユーザーインターフェースを提供するグラフィックユーザーインターフェース提供部をさらに含むことを特徴とする請求項６に記載のモバイル機器。
【請求項９】
前記制御部は、前記貯蔵された遮断情報を所定プロトコルのヘッダーに追加して前記コンテンツを提供する機器への接続を可能にする機器に伝送することを特徴とする請求項６に記載のモバイル機器。
【請求項１０】
前記コンテンツを提供する機器への接続を可能にする機器は、前記コンテンツを提供する機器から提供されたコンテンツを前記伝送された遮断情報に該当するコンテンツをフィルタリングして伝送することを特徴とする請求項６に記載のモバイル機器。
【請求項１１】
モバイル機器からユーザーがコンテンツを要請する場合に、共に伝送される遮断情報を受信する受信部と、
前記受信された遮断情報を貯蔵する遮断情報貯蔵部と、
前記遮断情報によるコンテンツのフィルタリング如何を判断し、前記判断結果によって前記コンテンツを提供する機器から伝送されたコンテンツを前記貯蔵された遮断情報によって選択的にフィルタリングを行う制御部と、を含むことを特徴とするモバイル機器のためのコンテンツ伝送装置。
【請求項１２】
前記モバイル機器及び前記コンテンツを提供する機器が使うプロトコルによって相互伝送されるプロトコルを変換するプロトコル変換部をさらに含むことを特徴とする請求項１１に記載のモバイル機器のためのコンテンツ伝送装置。
【請求項１３】
前記制御部は、前記コンテンツを提供する機器が前記遮断情報によってフィルタリングを行った場合、前記コンテンツを提供する機器から伝送されたコンテンツを前記モバイル機器に伝送することを特徴とする請求項１１に記載のモバイル機器のためのコンテンツ伝送装置。
【請求項１４】
前記制御部は、前記コンテンツを提供する機器が前記遮断情報によってフィルタリングを行えない場合、前記コンテンツを提供する機器から伝送されたコンテンツを前記貯蔵された遮断情報を通じてフィルタリングを行うことを特徴とする請求項１１に記載のモバイル機器のためのコンテンツ伝送装置。
【請求項１５】
前記コンテンツは、マークアップ言語からなることを特徴とする請求項１１に記載のモバイル機器のためのコンテンツ伝送装置。
【請求項１６】
モバイル機器からユーザーがコンテンツを要請する場合に、共に伝送される遮断情報を受信する受信部と、
前記受信された遮断情報によってコンテンツをフィルタリングするフィルタリング部と、
前記フィルタリングされたコンテンツを前記モバイル機器に伝送する伝送部と、を含むことを特徴とするモバイル機器のためのコンテンツ伝送装置。
【請求項１７】
前記コンテンツは、マークアップ言語からなることを特徴とする請求項１６に記載のモバイル機器のためのコンテンツ伝送装置。
【請求項１８】
前記モバイル機器のユーザーが所定コンテンツに対する遮断如何を選択するための選択情報を前記モバイル機器に伝送されるコンテンツに含ませる選択情報処理部をさらに含むことを特徴とする請求項１６に記載のモバイル機器のためのコンテンツ伝送装置。
【請求項１９】
前記モバイル機器は、前記ユーザーが所定コンテンツの遮断如何を選択するための前記選択情報をディスプレイするグラフィックユーザーインターフェースを提供することを特徴とする請求項１８に記載のモバイル機器のためのコンテンツ伝送装置。
【請求項２０】
前記受信部は、前記ユーザーが前記選択情報を通じて遮断した所定コンテンツについての遮断情報を受信することを特徴とする請求項１６に記載のモバイル機器のためのコンテンツ伝送装置。
【請求項２１】
所定コンテンツを分析して、ユーザーが前記コンテンツに対する遮断如何を選択するための選択情報を抽出する段階と、
前記ユーザーが前記抽出された選択情報を通じて所定コンテンツを遮断する遮断情報を貯蔵する段階と、
ユーザーがコンテンツを要請する場合に、前記貯蔵された遮断情報を共に、前記コンテンツを提供する機器に伝送する段階と、を含むことを特徴とするモバイル機器のためのコンテンツ伝送方法。
【請求項２２】
前記コンテンツ及び前記選択情報は、マークアップ言語からなることを特徴とする請求項１７に記載のモバイル機器のためのコンテンツ伝送方法。
【請求項２３】
前記ユーザーに前記コンテンツ及び前記抽出された選択情報を含んだグラフィックユーザーインターフェースを提供する段階をさらに含むことを特徴とする請求項２１に記載のモバイル機器のためのコンテンツ伝送方法。
【請求項２４】
前記遮断情報を伝送する段階は、前記貯蔵された遮断情報を所定プロトコルのヘッダーに追加して前記コンテンツを提供する機器に伝送する段階を含むことを特徴とする請求項２１に記載のモバイル機器のためのコンテンツ伝送方法。
【請求項２５】
前記コンテンツを提供する機器は、前記伝送された遮断情報に該当するコンテンツをフィルタリングして伝送することを特徴とする請求項２１に記載のモバイル機器のためのコンテンツ伝送方法。
【請求項２６】
ユーザーがモバイル機器からコンテンツを要請する場合に、共に伝送される遮断情報を貯蔵する段階と、
前記貯蔵された遮断情報を前記コンテンツを提供する機器と連結して前記コンテンツを提供する機器への接続を可能にする機器に伝送する段階と、を含むことを特徴とするモバイル機器のためのコンテンツ伝送方法。
【請求項２７】
前記コンテンツ及び前記選択情報は、マークアップ言語からなることを特徴とする請求項２６に記載のモバイル機器のためのコンテンツ伝送方法。
【請求項２８】
前記ユーザーに前記コンテンツを含んだグラフィックユーザーインターフェースを提供する段階をさらに含むことを特徴とする請求項２６に記載のモバイル機器のためのコンテンツ伝送方法。
【請求項２９】
前記遮断情報を伝送する段階は、前記貯蔵された遮断情報を所定プロトコルのヘッダーに追加して前記コンテンツを提供する機器への接続を可能にする機器に伝送する段階を含むことを特徴とする請求項２６に記載のモバイル機器のためのコンテンツ伝送方法。
【請求項３０】
前記コンテンツを提供する機器への接続を可能にする機器は、前記コンテンツを提供する機器から提供されたコンテンツを前記伝送された遮断情報に該当するコンテンツをフィルタリングして伝送することを特徴とする請求項２６に記載のモバイル機器のためのコンテンツ伝送方法。
【請求項３１】
モバイル機器からユーザーがコンテンツを要請する場合に、共に伝送される遮断情報を受信する段階と、
前記受信された遮断情報を貯蔵する段階と、
前記コンテンツを提供する機器の前記遮断情報によるコンテンツのフィルタリング如何を判断し、前記判断結果によって前記コンテンツを提供する機器から伝送されたコンテンツを前記貯蔵された遮断情報によって選択的にフィルタリングを行う段階と、を含むことを特徴とするモバイル機器のためのコンテンツ伝送方法。
【請求項３２】
前記モバイル機器及び前記コンテンツを提供する機器が使うプロトコルによって相互伝送されるプロトコルを変換する段階をさらに含むことを特徴とする請求項３１に記載のモバイル機器のためのコンテンツ伝送方法。
【請求項３３】
前記フィルタリングを行う段階は、前記コンテンツを提供する機器が前記遮断情報によってフィルタリングを行った場合、前記コンテンツを提供する機器から伝送されたコンテンツを前記モバイル機器に伝送する段階を含むことを特徴とする請求項３１に記載のモバイル機器のためのコンテンツ伝送方法。
【請求項３４】
前記フィルタリングを行う段階は、前記コンテンツを提供する機器が前記遮断情報によってフィルタリングを行えない場合、前記コンテンツを提供する機器から伝送されたコンテンツを前記貯蔵された遮断情報を通じてフィルタリングを行う段階を含むことを特徴とする請求項３１に記載のモバイル機器のためのコンテンツ伝送方法。
【請求項３５】
前記コンテンツは、マークアップ言語からなることを特徴とする請求項３１に記載のモバイル機器のためのコンテンツ伝送方法。
【請求項３６】
モバイル機器からユーザーがコンテンツを要請する場合に、共に伝送される遮断情報を受信する段階と、
前記受信された遮断情報によってコンテンツをフィルタリングする段階と、
前記フィルタリングされたコンテンツを前記モバイル機器に伝送する段階と、を含むことを特徴とするモバイル機器のためのコンテンツ伝送方法。
【請求項３７】
前記コンテンツは、マークアップ言語からなることを特徴とする請求項３６に記載のモバイル機器のためのコンテンツ伝送方法。
【請求項３８】
前記モバイル機器のユーザーが所定コンテンツに対する遮断如何を選択するための選択情報を前記モバイル機器に伝送されるコンテンツに含ませる段階をさらに含むことを特徴とする請求項３６に記載のモバイル機器のためのコンテンツ伝送方法。
【請求項３９】
前記モバイル機器は、前記ユーザーが所定コンテンツの遮断如何を選択するための前記選択情報をディスプレイするグラフィックユーザーインターフェースを提供することを特徴とする請求項３８に記載のモバイル機器のためのコンテンツ伝送方法。
【請求項４０】
前記遮断情報を受信する段階は、前記ユーザーが前記選択情報を通じて遮断した所定コンテンツについての遮断情報を受信する段階を含むことを特徴とする請求項３６に記載のモバイル機器のためのコンテンツ伝送方法。
【発明の詳細な説明】
【技術分野】
【０００１】
本発明は、モバイル機器、そのためのコンテンツ伝送装置及び方法に関するものであって、より詳細には、モバイル機器のユーザーが所望のコンテンツのみをフィルタリングして伝送してデータ伝送量を減少させ、コンテンツの利用時に賦課される料金を低減させうるモバイル機器、そのためのコンテンツ伝送装置及び方法に関する。
【背景技術】
【０００２】
最近、携帯電話及びＰＤＡ（パーソナルデジタルアシスタント）のように無線インターネットを使用できるモバイル機器が普及されるにつれてユーザーは時間と場所との制約を受けず所望のインターネットサイトに接続して所望の情報に近付いている。また、モバイル機器を対象とするモバイルインターネットは、接続手段として既存のＩＰ（インターネットプロトコル）網と連係して携帯電話網であるＣＤＭＡ、ＧＳＭ、ＧＰＲＳ、ＣＤＰＤ、ＴＤＭＡ及びＷ−ＣＤＭＡなどを使って簡便な接続機能及び陰影地域の解消によってその活用度が徐々に高まっている。
【０００３】
図１は、一般的なモバイルインターネットシステムが示された図面である。
図示されたように、一般的なモバイルインターネットシステム１０は、モバイル機器１１ａ、１１ｂ、１１ｃ、ゲートウェイ１２、及びサーバー１３ａ、１３ｂ、１３ｃを含み、所定のブラウザーを搭載したモバイル機器１１ａ、１１ｂ、１１ｃは、モバイルインターネットを使うために無線中継網（例えば、ＢＴＳ（ベーストランシーバシステム）及びＢＳＣ（ベースステーションコントローラ）など）１４を通じて無線サービス事業者が提供するゲートウェイ１２に接続する。
【０００４】
このとき、ゲートウェイ１２は、サーバー１３ａ、１３ｂ、１３ｃとＩＰ網１５とを通じて連結され、プロトコル変換などを通じてモバイル機器１１ａ、１１ｂ、１１ｃがコンテンツを提供するサーバー１３ａ、１３ｂ、１３ｃに接続させる。
【０００５】
また、サーバー１３ａ、１３ｂ、１３ｃは、モバイル機器１１ａ、１１ｂ、１１ｃが要請したコンテンツを提供し、ゲートウェイ１２は、必要によってサーバー１３ａ、１３ｂ、１３ｃが提供したコンテンツを変換するかプロトコル変換などを通じてモバイル機器１１ａ、１１ｂ、１１ｃに提供する。
【０００６】
一方、モバイル機器１１ａ、１１ｂ、１１ｃとゲートウェイ１２との間に主に使われるプロトコルとしては、ＷＡＰ１．０（ワイヤレスアプリケーションプロトコル  １．０）、ＷＡＰ２．０及びＭＥ（モバイルエクスプローラ）などがある。また、各プロトコル別にコンテンツを記述するマークアップ言語が変わることができ、所定プロトコルで支援しないマークアップ言語に対してはゲートウェイ１２に別途の変換モジュールを搭載して変換を行う。
【０００７】
現在、モバイルコンテンツに主に使われるマークアップ言語としては、オープンウェアブラウザーを使うオープンウェアの独自的な言語であり、オープンウェアのＨＤＴＰ（ハンドヘルドデバイストランスポートプロトコル）を使うＨＤＭＬ（ハンドヘルドデバイスマークアップランゲージ）、日本語Ｊ−Ｓｋｙ装置のためのＶｏｄａｆｏｎｅの独自的な言語であるＪＨＴＭＬ（Ｊ−Ｓｋｙ  ハイパーテキストマークアップランゲージ）、対話形音声応答応用プログラムでオーディオ対話を作るための標準であるＶｏｉｃｅＸＭＬ（ボイスエクステンシブルマークアップランゲージ）、ＸＭＬ（エクステンシブルマークアップランゲージ）を基盤とし、ＷＡＰの一部であるＷＭＬ（ワイヤレスマークアップランゲージ）、誰も新しい要素を追加して新しい属性を定義して機能を確張するＨＴＭＬ４．０の他の公式名称であるＸＨＴＭＬ（エクステンシブルハイパーテキストマークアップランゲージ）、モバイル機器に対応するためにＨＴＭＬを単純化したバージョンであるｃＨＴＭＬ（コンパクトハイパーテキストマークアップランゲージ）及びＮＴＴ  ＤＯＣｏＭｏの日本語ｉ−ｍｏｄｅ(登録商標)サービスで使われるマークアップ言語でｃＨＴＭＬと類似しているが、独自的な拡張を提供するｉＨＴＭＬ（インラインハイパーテキストマークアップランゲージ）などがある。
【０００８】
また、ゲートウェイ１２は、モバイル機器１１から伝送されるＷＡＰをＨＴＴＰ（ハイパーテキストトランスファプロトコル）に変換してサーバー１３に伝送し、セッション情報とサーバー１３から伝送されるコンテンツをモバイル機器に適した形態で加工してモバイル機器に提供する。
【０００９】
図２は、一般的なモバイル機器を通じてインターネットサイトを接続した状態の画面が示された図面である。
図示されたように、各モバイルインターネットサイトは、モバイル機器のディスプレイ装置の特性を考慮して別途のコンテンツを製作して提供しており、ユーザーのコンテンツへの接近に容易にするためにカテゴリーによる接近方式を採択している。最近、脚光を浴びているＷＡＰ２．０標準は、ＸＨＴＭＬを基本的に支援しているために一般インターネットサイトで見られる各種の效果をモバイル機器を通じて同様に見られるようにしている。
【００１０】
このように、ユーザーがモバイル機器１１ａ、１１ｂ、１１ｃを使ってインターネットサービスを使う場合、モバイル機器１１ａ、１１ｂ、１１ｃとゲートウェイ１２（基地局）との間に伝送される伝送パッケット単位で料金を課金するためにユーザーがモバイル機器１１ａ、１１ｂ、１１ｃを使ってモバイルインターネットを積極的に使うのが負担になることは事実であり、無制限料金制、割引料金制及び定額料金制のような特定料金制でモバイルインターネットを使っているが、一般的にユーザーがこのような料金制を気経に選択しにくい実情である。また、ユーザーがモバイルインターネットを使う場合、コンテンツ提供者が一方的にコンテンツを提供するためにユーザーが所望しないコンテンツが伝送されて追加的な使用料金が発生してしまう。
【００１１】
例えば、コンテンツがＨＴＭＬを使って、その大きさが３１ＫＢであり、ＣＳＳファイル、ＨＴＴＰ／ＷＡＰ２．０プロトコルを使った場合、国内通信業者から賦課される料金は（表１）のようであり、コンテンツの種類によって賦課される料金は変更されうる。
【００１２】
【表１】
0004520472.tif 000002
このとき、（表１）は、ニュースサイトから提供されるコンテンツの例であって、ユーザーがスポーツやＩＴ関連ニュースにだけ関心がある場合にも不要なコンテンツが共に伝送されるためにユーザーは所望しないコンテンツに対しても追加的に賦課される料金を支払わなければならない。また、モバイルインターネットサイトが多数のイメージを含む場合にもユーザーはこれにより過度な使用料金を支払う。
【００１３】
このように、ユーザーが所望しないコンテンツが伝送されるによってユーザーが追加的に負担する料金が増加するようになり、回線の伝送量が制限的なモバイル環境で速度障害が発生する。
【００１４】
したがって、ユーザーがモバイル機器１１ａ、１１ｂ、１１ｃを通じてモバイルインターネットを使う場合、所望しないコンテンツの伝送を予防して料金を減少させると同時にユーザーが提供されるコンテンツを調整できる方案が要求されている。
【００１５】
特許文献１では、サーバーが情報提供システムが提供するメニューを提供し、ユーザーはサーバーから提供されたメニューが端末機に貯蔵されれば、端末機に貯蔵されたメニュー部分を使って所望のコンテンツを無線インターネットを通じて要請して受信できる無線端末機に対する情報提供方法を開示しているが、これは、ユーザーが毎度端末機に貯蔵されたメニュー部分を通じて所望のコンテンツのみを要請することに関するものであって、所望しないコンテンツを遮断して、今後にもユーザーが遮断したコンテンツに対してはフィルタリング実行を通じて、遮断したコンテンツが提供されることを予め防止する方案は提案されていない。
【特許文献１】韓国特許公開第２００２−００７４３３号公報
【発明の開示】
【発明が解決しようとする課題】
【００１６】
本発明は、ユーザーが遮断したコンテンツについての遮断情報をモバイル機器に貯蔵し、ユーザーによるコンテンツの要請時、貯蔵された遮断情報を共に伝送してユーザーが所望のコンテンツのみ利用するモバイル機器、そのためのコンテンツ伝送装置及び方法を提供するところにその目的がある。
【００１７】
本発明は、前述した目的に制限されず、言及されなかったさらなる目的は、下記から当業者に明確に理解されるであろう。
【課題を解決するための手段】
【００１８】
前記目的を果たすために、本発明の実施形態によるモバイル機器は、所定コンテンツを分析して、ユーザーが前記コンテンツに対する遮断如何を選択するための選択情報を抽出するコンテンツ分析部、前記ユーザーが前記抽出された選択情報を通じて所定コンテンツを遮断した遮断情報を貯蔵する遮断情報貯蔵部、及びユーザーがコンテンツを要請する場合に、前記遮断情報貯蔵部に貯蔵された遮断情報を共に、前記コンテンツを提供する機器に伝送する制御部とを含む。
【００１９】
また、前記目的を果たすために、本発明の実施形態によるモバイル機器は、ユーザーが所定コンテンツを遮断する遮断情報を貯蔵する遮断情報貯蔵部、及びユーザーがコンテンツを要請する場合に、前記遮断情報貯蔵部に貯蔵された遮断情報を共に、前記コンテンツを提供する機器と連結して前記コンテンツを提供する機器への接続を可能にする機器に伝送する制御部とを含む。
【００２０】
また、前記目的を果たすために、本発明の実施形態によるモバイル機器のためのコンテンツ伝送装置は、モバイル機器からユーザーがコンテンツを要請する場合に、共に伝送される遮断情報を受信する受信部、前記受信された遮断情報を貯蔵する遮断情報貯蔵部、及び前記コンテンツを提供する機器の前記遮断情報によるコンテンツのフィルタリング如何を判断し、前記判断結果によって前記コンテンツを提供する機器から伝送されたコンテンツを前記貯蔵された遮断情報によって選択的にフィルタリングを行う制御部とを含む。
【００２１】
また、前記目的を果たすために、本発明の実施形態によるモバイル機器のためのコンテンツ伝送装置は、モバイル機器からユーザーがコンテンツを要請する場合に、共に伝送される遮断情報を受信する受信部、前記受信された遮断情報によってコンテンツをフィルタリングするフィルタリング部、及び前記フィルタリングされたコンテンツを前記モバイル機器に伝送する伝送部とを含む。
【００２２】
また、前記目的を果たすために、本発明の実施形態によるモバイル機器のためのコンテンツ伝送方法は、所定コンテンツを分析して、ユーザーが前記コンテンツに対する遮断如何を選択するための選択情報を抽出する段階、前記ユーザーが前記抽出された選択情報を通じて所定コンテンツを遮断する遮断情報を貯蔵する段階、及び前記貯蔵された遮断情報を前記コンテンツを提供する機器に伝送する段階とを含む。
【００２３】
また、前記目的を果たすために、本発明の実施形態によるモバイル機器のためのコンテンツ伝送方法は、ユーザーが所定コンテンツを遮断する遮断情報を貯蔵する段階、及びユーザーがコンテンツを要請する場合に、前記貯蔵された遮断情報を共に、前記コンテンツを提供する機器と連結して前記コンテンツを提供する機器への接続を可能にする機器に伝送する段階とを含む。
【００２４】
また、前記目的を果たすために、本発明の実施形態によるモバイル機器のためのコンテンツ伝送方法は、モバイル機器からユーザーがコンテンツを要請する場合に、共に伝送される遮断情報を受信する段階、前記受信された遮断情報を貯蔵する段階、及び前記コンテンツを提供する機器の前記遮断情報によるコンテンツのフィルタリング如何を判断し、前記判断結果によって前記コンテンツを提供する機器から伝送されたコンテンツを前記貯蔵された遮断情報によって選択的にフィルタリングを行う段階とを含む。
【００２５】
また、前記目的を果たすために、本発明の実施形態によるモバイル機器のためのコンテンツ伝送方法は、モバイル機器からユーザーがコンテンツを要請する場合に、共に伝送される遮断情報を受信する段階、前記受信された遮断情報によってコンテンツをフィルタリングする段階、及び前記フィルタリングされたコンテンツを前記モバイル機器に伝送する段階とを含む。
【００２６】
その他の実施形態の具体的な事項は、詳細な説明及び図面に含まれている。
【発明の効果】
【００２７】
本発明のモバイル機器、そのためのコンテンツ伝送装置及び方法によれば、ユーザーがモバイル機器を用いてインターネット使用の時、自身のモバイル機器に合うように所望のコンテンツのみを提供されて不要に提供されるコンテンツによって負担する料金を減らして、制限されたモバイル環境での速度障害の発生を防止できる。
【発明を実施するための最良の形態】
【００２８】
本発明の利点及び特徴、そしてそれらの達成方法は、添付図面と共に詳細に後述されている実施形態を参照すれば、明確になる。しかし、本発明は、以下で開示される実施形態に限定されず、相異なる多様な形態で具現でき、単に本実施形態は本発明の開示を完全にし、当業者に発明の範ちゅうを完全に知らせるために提供され、本発明は請求項の範ちゅうにより定義されるだけである。明細書全体にわたって同一の参照符号は、同一の構成要素を指称する。
【００２９】
以下、本発明の実施形態によってモバイル機器、そのためのコンテンツ伝送装置及び方法を説明するためのブロック図または処理フローチャートを参考して、本発明について説明する。このとき、処理フローチャートの各ブロックとフローチャートとの組合わせは、コンピュータプログラムインストラクションによって行われるということを理解できるであろう。これらコンピュータプログラムインストラクションは、汎用コンピュータ、特殊用コンピュータまたはその他のプログラム可能なデータプロセッシング装備のプロセッサーに搭載されることができるので、コンピュータまたはその他のプログラム可能なデータプロセッシング装備のプロセッサーを通じて行われるそのインストラクションがフローチャートで説明された機能を行う手段を生成する。これらコンピュータプログラムインストラクションは、特定方式で機能を具現するためにコンピュータまたはその他のプログラム可能なデータプロセッシング装備を志向できるコンピュータ利用可能またはコンピュータ判読可能メモリに貯蔵されることも可能なので、そのコンピュータ利用可能またはコンピュータ判読可能メモリに貯蔵されたインストラクションは、フローチャートで説明された機能を行うインストラクション手段を内包する製造品目を生産することも可能である。コンピュータプログラムインストラクションは、コンピュータまたはその他のプログラム可能なデータプロセッシング装備上に搭載されることも可能なので、コンピュータまたはその他のプログラム可能なデータプロセッシング装備上で一連の動作段階が行われてコンピュータで実行されるプロセスを生成してコンピュータまたはその他のプログラム可能なデータプロセッシング装備を行うインストラクションはフローチャートで説明された機能を実行するための段階を提供することも可能である。
【００３０】
また、各ブロックは、特定された論理的機能を実行するための一つ以上の実行可能なインストラクションを含むモジュール、セグメントまたはコードの一部を表すことができる。また、いくつかの代替実行例では、ブロックで言及された機能が順序を外れて発生することも可能であるということに注目しなければならない。例えば、相次いで示されている二つのブロックは、実質的に同時に行われても、またはそのブロックが時々該当する機能によって逆順に行われても良い。
【００３１】
図３は、本発明の実施形態によるモバイル機器が示された図面である。
図示されたように、本発明の実施形態によるモバイル機器１００は、所定コンテンツを分析してユーザーが所定コンテンツに対する遮断如何を決定できる選択情報を抽出するコンテンツ分析部１１０、ユーザーが抽出された選択情報を通じて所定コンテンツを遮断した遮断情報を貯蔵する遮断情報貯蔵部１２０、貯蔵された遮断情報をコンテンツを提供する機器に伝送する制御部１３０、コンテンツとコンテンツに含まれた選択情報を所定のグラフィックユーザーインターフェースを通じてユーザーに提供するグラフィックユーザーインターフェース提供部１４０とを含みうる。
【００３２】
本発明の実施形態で使われるコンテンツは、前述したようなＨＤＭＬ、ＪＨＴＭＬ、ＶｏｉｃｅＸＭＬ、ＷＭＬ、ＸＨＴＭＬ、ｃＨＴＭＬ及びｉＨＴＭＬなどのマークアップ言語からなる場合を例として説明し、コンテンツに含まれた選択情報も前述したマークアップ言語からなる場合を例として説明する。
【００３３】
コンテンツ分析部１１０は、コンテンツを提供する機器から伝送されたコンテンツを分析し、分析結果からユーザーがコンテンツの遮断如何を決定できる選択情報を抽出できる。このとき、コンテンツ及び選択情報は、グラフィックユーザーインターフェース提供部１４０によって提供されるグラフィックユーザーインターフェースを通じてディスプレイされるために、ユーザーはディスプレイされるグラフィックユーザーインターフェースを通じてコンテンツ及び選択情報を確認できる。
【００３４】
図４は、本発明の実施形態によるグラフィックユーザーインターフェースが示された図面である。このとき、図４のグラフィックユーザーインターフェースは、コンテンツを提供する機器がモバイル機器１００に提供するコンテンツがナビゲーション情報である場合を例として説明しているが、これに限定されない。
【００３５】
図示されたように、本発明の実施形態によるグラフィックユーザーインターフェース１４１は、コンテンツを提供する機器から伝送された多様な項目１４２ａ、１４２ｂ、１４２ｃ、１４２ｄのナビゲーション情報を含むコンテンツ１４２を含むことができ、提供されたコンテンツの所定項目１４２ｄに対してユーザーが遮断如何を決定できる選択情報１４３がディスプレイされうる。このような遮断情報１４３は、ユーザーが所定コンテンツの所定項目に対する遮断如何を決定できる遮断１４３ａ及び遮断解除１４３ｂを含みうる。したがって、ユーザーは今後に同一のコンテンツを伝送される場合、ユーザーが遮断した項目に対しては伝送されない。例えば、ユーザーが図４のＤｉｒｅｃｔｉｏｎ項目１４２ｄを遮断した場合、今後に図４と同一のコンテンツを提供される時、ユーザーが遮断したＤｉｒｅｃｔｉｏｎ項目１４２ｄはフィルタリングされて伝送されない。
【００３６】
このとき、図４では所定コンテンツに含まれた項目を遮断する場合を例として説明しているが、これに限定されず該当コンテンツ全体を遮断することもできる。したがって、本発明の実施形態でコンテンツを遮断するということは、コンテンツまたはコンテンツ内の所定項目を遮断することをすべて含むと理解されうる。
【００３７】
図５は、前述した図４のコンテンツのＸＨＴＭＬソースコードが示された図面である。
図示されたように、ソースコードには、前述した図４のＤｉｒｅｃｔｉｏｎ項目１４２ｄに対してユーザーが遮断如何を選択できる選択情報１４３に該当するタグ１５１、１５２が挿入されたことが分かる。したがって、ユーザーは、所望のコンテンツのみを選択的に提供されるように所望しないコンテンツを遮断できることである。
【００３８】
遮断情報貯蔵部１２０は、ユーザーがグラフィックユーザーインターフェース提供部１４０を通じてディスプレイされるコンテンツ及び選択情報を通じて遮断したコンテンツについての遮断情報を貯蔵できる。
【００３９】
本発明の実施形態で遮断情報貯蔵部１２０は、キャッシュ、ＲＯＭ、ＰＲＯＭ、ＥＰＲＯＭ、ＥＥＰＲＯＭ、フラッシュ、ＳＲＡＭ及びＤＲＡＭのような形態の装置が含まれうるが、これに限定されない。
【００４０】
制御部１３０は、ユーザーが所定コンテンツを要請する場合、遮断情報貯蔵部１２０に貯蔵された遮断情報を共にコンテンツを提供する機器に伝送しうる。これは、コンテンツを提供する機器でユーザーが要請したコンテンツを提供する場合、遮断情報を基づいて提供するコンテンツ内にユーザーが遮断した項目が存在する時、これをフィルタリングして提供させるためである。
【００４１】
したがって、ユーザーは、ユーザーが所望のコンテンツのみを提供されることができるために不要なコンテンツによって発生する追加料金を負担しなくなると同時に回線の伝送量が制限的なモバイル環境での速度障害の発生を予め防止させうる。
【００４２】
一方、前述した図３は、コンテンツを提供する機器でコンテンツ提供の時、提供するコンテンツ内に選択情報を予め含ませて提供する場合、ユーザーが所定コンテンツの遮断如何を決定できることであって、コンテンツを提供する機器が選択情報を支援しない場合に、モバイル機器１００はコンテンツを提供する機器ではないコンテンツを提供する機器と連結して無線中継網を通じてモバイル機器１００がコンテンツを提供する機器にコンテンツを要請するゲートウェイに遮断情報を伝送しうる。このとき、モバイル機器１００から伝送された遮断情報をゲートウェイに貯蔵され、コンテンツを提供する機器が、ユーザーが要請したコンテンツを提供する時、ゲートウェイで貯蔵された遮断情報を通じてフィルタリングを行える。
【００４３】
したがって、コンテンツを提供する機器が提供するコンテンツに選択情報を含ませる場合とそうではない場合に対してすべてユーザーが遮断したコンテンツをフィルタリングできるためにユーザーはユーザーが所望のコンテンツのみを提供されうるために不要なコンテンツによって発生する追加料金を負担しなくなると同時に回線の伝送量が制限的なモバイル環境での速度障害の発生を予め防止させうる。
【００４４】
一方、前述したように、コンテンツを提供する機器ではないゲートウェイでユーザーが遮断したコンテンツをフィルタリングする場合には、前述した図３のモバイル機器１００でコンテンツ内に含まれた選択情報を分析して選択情報を抽出するコンテンツ分析部１１０が省略されることができ、ユーザーが直接所定コンテンツを遮断した遮断情報を遮断情報貯蔵部１２０に貯蔵できる。勿論、ユーザーは、前述した図３にように、グラフィックユーザーインターフェース提供部１４０で提供されたグラフィックユーザーインターフェースを通じて遮断しようとするコンテンツを選択できる。このとき、制御部１３０は、ユーザーが遮断した所定コンテンツについての遮断情報をコンテンツを提供する機器ではないコンテンツを提供する機器と連結されたゲートウェイに伝送しうる。したがって、ゲートウェイは、伝送された遮断情報を通じてコンテンツを提供する機器から伝送されたコンテンツをフィルタリングしてモバイル機器１００に伝送しうる。
【００４５】
図６は、本発明の実施形態によるモバイル機器のためのコンテンツ伝送装置が示された図面である。このとき、図６のモバイル機器のためのコンテンツ伝送装置は、前述したようなコンテンツを提供する機器と連結して無線中継網を通じてモバイル機器１００がコンテンツを提供する機器にコンテンツを要請するゲートウェイで理解されることができ、以下、本発明の実施形態で図６のモバイル機器のためのコンテンツ伝送装置をゲートウェイと称する。
【００４６】
図示されたように、本発明の実施形態によるゲートウェイ２００は、モバイル機器１００から遮断情報を受信する受信部２１０、受信された遮断情報を貯蔵する遮断情報貯蔵部２２０、コンテンツを提供する機器に貯蔵された遮断情報を伝送する制御部２３０、及びモバイル機器１００とコンテンツを提供する機器の間にプロトコルを変換するプロトコル変換部２４０とを含みうる。
【００４７】
受信部２１０は、ユーザーがモバイル機器１００を通じて所定コンテンツを要請した場合、それによる要請情報及びユーザーが遮断したコンテンツについての遮断情報を受信できる。
【００４８】
遮断情報貯蔵部２２０は、受信された遮断情報を貯蔵することができ、制御部１３０は、コンテンツを提供する機器がコンテンツに選択情報を含ませるか否かによって選択的に貯蔵された遮断情報をコンテンツを提供する機器に伝送しうる。
【００４９】
言い替えれば、制御部２３０は、コンテンツを提供する機器がコンテンツに選択情報を含ませる場合には、コンテンツを提供する機器で遮断情報によって提供するコンテンツをフィルタリングするために貯蔵された遮断情報をコンテンツを提供する機器に伝送するようになる一方、コンテンツを提供する機器がコンテンツに選択情報を含ませない場合には、コンテンツを提供する機器から伝送されたコンテンツと遮断情報貯蔵部２２０に貯蔵された遮断情報とを比べてフィルタリングを行うために遮断情報をコンテンツを提供する機器に伝送しなくなる。
【００５０】
例えば、コンテンツを提供する機器がコンテンツに選択情報を含ませる場合、制御部２３０は遮断情報貯蔵部２２０に貯蔵された遮断情報を要請情報と共にコンテンツを提供する機器に伝送し、コンテンツを提供する機器から伝送されたフィルタリングされたコンテンツをモバイル機器１００に伝送しうる。
【００５１】
一方、コンテンツを提供する機器がコンテンツに選択情報を含ませない場合、制御部２３０は要請情報をコンテンツを提供する機器に遮断情報を伝送しなくなり、要請情報によって提供されるコンテンツを貯蔵された遮断情報を通じてフィルタリングした後、モバイル機器１００に伝送しうる。
【００５２】
本発明の実施形態では、制御部２３０が選択的に遮断情報をコンテンツを提供する機器に伝送する場合を例として説明しているが、これは本発明の理解を助けるための一例に過ぎず、一応コンテンツに遮断情報を伝送した後、提供されるコンテンツにフィルタリング情報が含まれなかったか所定フィールド値に失敗値が含まれた場合、遮断情報貯蔵部２２０に貯蔵された遮断情報を用いてフィルタリングを行うこともできる。
【００５３】
プロトコル変換部２４０は、モバイル機器１００とコンテンツを提供する機器の間のプロトコルを変換する役割を実行できる。例えば、モバイル機器１００は主にＷＡＰプロトコルを使って、コンテンツを提供する機器はＨＴＴＰプロトコルを使う場合に相互間にプロトコル変換を行える。
【００５４】
図７は、本発明の実施形態によるモバイル機器のためのコンテンツ伝送装置が示された図面である。このとき、図７のモバイル機器のためのコンテンツ伝送装置は、モバイル機器１００の要請によってコンテンツを提供するインターネットサーバーなどに理解されることができ、以下、本発明の実施形態では図７のモバイル機器のためのコンテンツ伝送装置をインターネットサーバーと称する。
【００５５】
図示されたように、本発明の実施形態によるインターネットサーバー３００は、ユーザーが所定コンテンツを要請した要請情報及びユーザーが遮断した所定コンテンツについての遮断情報を受信する受信部３１０、受信された遮断情報によって提供しようとするコンテンツに対するフィルタリングを行うフィルタリング部３２０、フィルタリングが行われたコンテンツをモバイル機器１００に伝送する伝送部３３０、提供可能なコンテンツを貯蔵するコンテンツ貯蔵部３４０、及びモバイル機器１００に伝送されるコンテンツに対するユーザーの遮断決定のための選択情報を含ませる選択情報処理部３５０を含みうる。
【００５６】
このとき、図７では、インターネットサーバー３００がモバイル機器１００から伝送された遮断情報を受信して提供しようとするコンテンツのフィルタリングを行う場合を例として説明しているが、これはインターネットサーバー３００が提供するコンテンツに選択情報を含ませる場合で、インターネットサーバー３００が提供するコンテンツに選択情報を含ませない場合には、ユーザーが所定コンテンツを要請した要請情報によるコンテンツを別途のフィルタリング実行なしに提供する。インターネットサーバー３００がフィルタリングを行えない場合には、前述した図７の構成要素の中でフィルタリング部３２０が省略されうる。
【００５７】
フィルタリング部３２０は、コンテンツ貯蔵部３４０で要請情報によるコンテンツを抽出して遮断情報に該当するコンテンツをフィルタリングし、伝送部３３０はフィルタリングされたコンテンツをモバイル機器１００に伝送する。このとき、モバイル機器１００に伝送されるフィルタリングされたコンテンツは、前述した図６のゲートウェイ２００を経てプロトコルが変換されてモバイル機器１００に伝送されうる。
【００５８】
選択情報処理部３５０は、モバイル機器１００に伝送されるコンテンツに前述した図４のようなグラフィックユーザーインターフェース１４１にディスプレイされる選択情報１４３を含ませてユーザーが所定コンテンツに対する遮断如何を決定させる。本発明の実施形態でインターネットサーバー３００は、コンテンツに選択情報を含ませて伝送する場合を例として説明しているが、これに限定されずインターネットサーバー３００が選択情報を支援しない場合には、選択情報処理部３５０は省略されることもできる。
【００５９】
図８は、本発明の実施形態によるモバイル機器で遮断情報を伝送する方法が示された図面である。
【００６０】
図示されたように、本発明の実施形態によるモバイル機器で遮断情報を伝送する方法、先にユーザーがグラフィックユーザーインターフェース提供部１４０で提供されたグラフィックユーザーインターフェースを通じてコンテンツを確認し（Ｓ１１０）、グラフィックユーザーインターフェースを通じてディスプレイされる選択情報を通じてコンテンツの遮断如何を決定する（Ｓ１２０）。このような選択情報は、グラフィックユーザーインターフェースでポップアップウィンドウ及び対話窓などの形態にディスプレイされうる。
【００６１】
ユーザーが所定コンテンツに対する遮断如何を決定すれば、ユーザーが遮断した所定コンテンツに対して遮断情報が遮断情報貯蔵部１２０に貯蔵される（Ｓ１３０）。
【００６２】
制御部１３０は、ユーザーが要請したコンテンツについての要請情報及び遮断情報貯蔵部１２０に貯蔵された遮断情報をゲートウェイに伝送する（Ｓ１４０）。このとき、伝送される遮断情報は、ＷＡＰプロトコルのヘッダーやＨＴＴＰプロトコルのヘッダーに追加されて伝送されうる。
【００６３】
例えば、遮断情報貯蔵部１２０に貯蔵される遮断情報がＨＴＴＰプロトコルのヘッダーに追加される場合、図９のようにＨＴＴＰプロトコルを用いて遮断情報を伝送する場合に必要なプロトコルの構成を通じて図１０のような形態でコンテンツを提供する機器に伝送されうる。このとき、図１０は、前述した図４のグラフィックユーザーインターフェースを通じてディスプレイされるコンテンツ１４１でＤｉｒｅｃｔｉｏｎ項目１４２ｄが遮断された場合の一例である。また、本発明の実施形態では、遮断情報がＨＴＴＰプロトコルのヘッダーに追加されて伝送される場合を例として説明しているが、これに限定されずＷＡＰプロトコルなどのヘッダーに追加されて伝送されることもできる。
【００６４】
このとき、図８は、コンテンツを提供する機器がコンテンツに選択情報を含ませた場合であって、コンテンツを提供する機器がコンテンツに選択情報を含ませることが支援されない場合には、モバイル機器１００でユーザーが所定コンテンツに対して選択した遮断情報を生成して伝送することもできる。
【００６５】
図１１は、本発明の実施形態によるゲートウェイのコンテンツ伝送方法が示された図面である。
図示されたように、本発明の実施形態によるゲートウェイのコンテンツ伝送方法は、先に受信部２１０でモバイル機器１００から伝送された要請情報及び遮断情報を受信する（Ｓ２１０）。
【００６６】
遮断情報貯蔵部２２０は、受信部２１０を通じて受信された遮断情報を貯蔵する（Ｓ２２０）。本発明の実施形態で遮断情報貯蔵部２２０は、遮断情報のみを貯蔵する場合を例として説明しているが、これに限定されず要請情報も共に貯蔵できる。
【００６７】
プロトコル変換部２４０は、モバイル機器１００で使うプロトコルをインターネットサーバー３００で使うプロトコルに変換し（Ｓ２３０）、制御部２３０は変換されたプロトコルの遮断情報をインターネットサーバー３００に伝送する（Ｓ２４０）。
【００６８】
以後、インターネットサーバー３００から要請情報によるコンテンツが伝送されれば（Ｓ２５０）、制御部２３０はインターネットサーバー３００で遮断情報によるコンテンツのフィルタリングが行われたか否かを判断する（Ｓ２６０）。
【００６９】
判断結果、インターネットサーバー３００で遮断情報によってコンテンツのフィルタリングが行われた場合、制御部２３０はインターネットサーバー３００から伝送されたコンテンツをプロトコル変換部２４０を通じてモバイル機器１００が使うプロトコルに変換してモバイル機器１００に伝送する（Ｓ２７０）。
【００７０】
もし、インターネットサーバー３００で遮断情報によってコンテンツのフィルタリングが行われない場合、制御部２３０は遮断情報貯蔵部２２０に貯蔵された遮断情報を通じてインターネットサーバー３００で伝送されたコンテンツをフィルタリングし（Ｓ２８０）、フィルタリングされたコンテンツをプロトコル変換部２４０を通じてモバイル機器１００が使うプロトコルに変換してモバイル機器１００に伝送する（Ｓ２９０）。
【００７１】
このとき、Ｓ２８０段階のように、ゲートウェイ２００でフィルタリングを行う場合は、インターネットサーバー３００から伝送されたコンテンツにフィルタリング情報が含まれなかったか、所定フィールド値に失敗値が含まれた場合、制御部２３０は遮断情報貯蔵部２２０に貯蔵された遮断情報を用いてフィルタリングを行える。
【００７２】
図１２は、本発明の実施形態によるインターネットサーバーのコンテンツ伝送方法が示された図面である。
図示されたように、本発明の実施形態によるインターネットサーバーのコンテンツ伝送方法は、先に受信部３１０がゲートウェイ２００からモバイル機器１００が伝送した要請情報及び遮断情報を受信する（Ｓ３１０）。
【００７３】
このとき、フィルタリング部３２０は、コンテンツ貯蔵部３４０から要請情報によるコンテンツを抽出し（Ｓ３２０）、抽出されたコンテンツで遮断情報に該当するコンテンツをフィルタリングする（Ｓ３３０）。
【００７４】
以後、伝送部３３０は、フィルタリングされたコンテンツをゲートウェイ２００に伝送してゲートウェイ２００がコンテンツをモバイル機器１００に伝送させる（Ｓ３４０）。
【００７５】
このとき、図１２のようなインターネットサーバー３００でコンテンツを伝送する方法は、コンテンツのフィルタリングを行われうる機能を支援する場合であり、コンテンツのフィルタリングを行う機能を支援しない場合には、要請情報によるコンテンツを別途のフィルタリングを経ずゲートウェイ２００に伝送することもできる。このように、インターネットサーバー２００でコンテンツのフィルタリングが行われない場合には、前述した図１１のように、ゲートウェイ２００でフィルタリングを行える。
【００７６】
一方、インターネットサーバー３００が遮断情報を受信した場合、コンテンツのフィルタリングを行われうる場合には、図１３のようなプロトコル構成を有し、コンテンツの遮断が正常的になされた場合には、図１４のように、ｒｅｓｕｌｔフィールドにＯＫ値が設定され、そうではない場合にはＦＡＩＬ値が設定されて返還されうる。
【００７７】
図１５は、本発明の実施形態によるインターネットサーバーでコンテンツをフィルタリングする場合の流れが示された図面である。
図示されたように、本発明の実施形態によるインターネットサーバーでコンテンツをフィルタリングする場合の流れは、先にモバイル機器１００がユーザーが要請したコンテンツについての要請情報及びユーザーが遮断したコンテンツについての遮断情報をゲートウェイ２００に伝送する（Ｓ４１０）。
【００７８】
ゲートウェイ２００は、プロトコル変換の後（Ｓ４２０）、要請情報及び遮断情報をインターネットサーバー３００に伝送する（Ｓ４３０）。インターネットサーバー３００は、要請情報によるコンテンツを遮断情報によってフィルタリングを行う（Ｓ４４０）。
【００７９】
インターネットサーバー３００は、フィルタリングされたコンテンツをゲートウェイ２００に伝送し（Ｓ４５０）、ゲートウェイ２００はプロトコル変換の後（Ｓ４６０）、インターネットサーバー３００から伝送されたコンテンツをモバイル機器１００に伝送する（Ｓ４７０）。
【００８０】
図１６は、本発明の実施形態によるゲートウェイでコンテンツをフィルタリングする場合の流れが示された図面である。
図示されたように、本発明の実施形態によるゲートウェイでコンテンツをフィルタリングする場合の流れは、先にモバイル機器１００がユーザーが要請したコンテンツについての要請情報及びユーザーが遮断したコンテンツについての遮断情報をゲートウェイ２００に伝送する（Ｓ５１０）。
【００８１】
ゲートウェイ２００は、伝送された遮断情報を貯蔵し、要請情報をプロトコル変換をして（Ｓ５２０）、要請情報をインターネットサーバー３００に伝送する（Ｓ５３０）。
【００８２】
インターネットサーバー３００は、伝送された要請情報によるコンテンツをゲートウェイ２００に伝送し（Ｓ５４０）、ゲートウェイ２００は伝送されたコンテンツを貯蔵された遮断情報を通じてフィルタリングすると同時にプロトコルをモバイル機器１００のプロトコルに変換する（Ｓ５５０）。
【００８３】
以後、ゲートウェイ２００は、フィルタリングされたコンテンツをモバイル機器１００に伝送する（Ｓ５６０）。
【００８４】
前記‘部’は、ソフトウェアまたはＦｉｅｌｄ  Ｐｒｏｇｒａｍｍａｂｌｅ  Ｇａｔｅ  Ａｒｒａｙ（ＦＰＧＡ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）のようなハードウェア構成要素を意味し、‘部’は所定の役割を実行する。しかし、‘部’は、ソフトウェアまたはハードウェアに限定される意味ではない。‘部’は、アドレッシングできる記録媒体にあるように構成することもでき、一つまたはそれ以上のプロセッサーを実行させるように構成することもできる。したがって、一例として‘部’は、ソフトウェア構成要素、客体志向ソフトウェア構成要素、クラス構成要素及びタスク構成要素のような構成要素と、プロセス、関数、属性、プロシージャ、サブルーチン、プログラムコードのセグメント、ドライバー、ファームウエア、マイクロコード、回路、データ、データベース、データ構造、テーブル、アレイ、及び変数を含む。構成要素と‘部’で提供される機能は、さらに小さな数の構成要素及び‘部’に結合されるか追加的な構成要素と‘〜部’とにさらに分離されうる。
【００８５】
以上のように、本発明によるモバイル機器、そのためのコンテンツ伝送装置及び方法を例示した図面を参照して説明したが、本明細書に開示された実施形態と図面によって本発明は限定されず、本発明の技術思想範囲内で当業者によって多様な変形が可能であるということは勿論である。
【産業上の利用可能性】
【００８６】
本発明は、モバイル機器、そのためのコンテンツ伝送装置及び方法に関連する技術分野に適用されうる。
【図面の簡単な説明】
【００８７】
【図１】一般的なモバイルインターネットシステムが示された図である。
【図２】一般的なモバイル機器を通じてインターネットサイトに接続した画面が示された図である。
【図３】本発明の実施形態によるモバイル機器が示された図である。
【図４】本発明の実施形態によるグラフィックユーザーインターフェースが示された図である。
【図５】図４のグラフィックユーザーインターフェースに含まれたコンテンツのＸＨＴＭＬソースコードが示された図である。
【図６】本発明の実施形態によるゲートウェイが示された図である。
【図７】本発明の実施形態によるインターネットサーバーが示された図である。
【図８】本発明の実施形態によるモバイル機器の遮断情報の伝送方法が示された図である。
【図９】本発明の実施形態によるモバイル機器で伝送される遮断情報のプロトコル構成が示された図である。
【図１０】本発明の実施形態によるモバイル機器で伝送される遮断情報が示された図である。
【図１１】本発明の実施形態によるゲートウェイのコンテンツ伝送方法が示された図である。
【図１２】本発明の実施形態によるインターネットサーバーのコンテンツ伝送方法が示された図である。
【図１３】本発明の実施形態によるインターネットサーバーで遮断情報に対する応答のプロトコル構成が示された図である。
【図１４】本発明の実施形態によるインターネットサーバーで伝送される応答が示された図である。
【図１５】本発明の実施形態によるインターネットサーバーでフィルタリングを行う場合の流れが示された図である。
【図１６】本発明の実施形態によるゲートウェイでフィルタリングを行う場合の流れが示された図である。
【符号の説明】
【００８８】
１１０      コンテンツ分析部
１２０      遮断情報貯蔵部
１３０      制御部
１４０      グラフィックユーザーインターフェース提供部
【図１】
0004520472.tif 000003
【図２】
0004520472.tif 000004
【図３】
0004520472.tif 000005
【図４】
0004520472.tif 000006
【図５】
0004520472.tif 000007
【図６】
0004520472.tif 000008
【図７】
0004520472.tif 000009
【図８】
0004520472.tif 000010
【図９】
0004520472.tif 000011
【図１０】
0004520472.tif 000012
【図１１】
0004520472.tif 000013
【図１２】
0004520472.tif 000014
【図１３】
0004520472.tif 000015
【図１４】
0004520472.tif 000016
【図１５】
0004520472.tif 000017
【図１６】
0004520472.tif 000018